【事件の表示】
　特許第３１２１２０５号「使い捨ておむつ」の請求項１ないし３に係る特許に対する特許異議の申立てについて、次のとおり決定する。
【結　論】
　訂正を認める。
　特許第３１２１２０５号の請求項１ないし３に係る特許を維持する。
【理　由】
＜1＞手続の経緯　
　本件特許第3121205号は、平成2年10月31日に特許出願された特願平2-294896号の一部を平成6年6月6日に新たな特許出願（特願平6-124083号）としたもので、平成12年10月20日に設定の登録がなされ、その後、請求項1乃至3に係る発明の特許に対して、異議申立人　土山健二より特許異議の申立てがなされたものであり、当審において取消理由が通知され、指定期間内に特許権者から特許異議意見書、訂正請求書、及び、上申書（甲第1号証：特開昭62-243806号公報記載の「フィット性」が異なる意味を持つことについての専門家の見解書）が提出されたものである。　
＜2＞訂正の適否についての判断　
特許権者は、訂正明細書のとおり訂正することを求めており、その内容は、以下の＜訂正Ａ〜Ｄ＞のとおりである。　
＜2-1＞訂正の内容
＜訂正Ａ＞　特許請求の範囲の
「【請求項１】　液透過性のトップシートと、液不透過性のバックシートと、これら両シート間に配置される吸収体とを有する本体を備え、該本体は着用時に着用者の腹側に位置する腹側部と、背側に位置する背側部とに区分されており、前記腹側部と背側部との夫々の両側縁部を接合固定してウエスト開口部と一対のレッグ開口部を形成したパンツ型の使い捨ておむつにおいて、上記ウエスト開口部及び一対のレッグ開口部には、夫々その周縁部全周に亘って実質的に連続したギャザーを形成する弾性部材が設けられており、上記本体には、更に、胴回りの両側部に、上記腹側部及び上記背側部に亘り実質的に連続したギャザーを形成する弾性部材が備えられていることを特徴とする使い捨ておむつ。
【請求項２】　上記ギャザーは、複数の弾性部材が間隔をもって並置することにより形成されていることを特徴とする請求項１記載の使い捨ておむつ。
【請求項３】　上記レッグ開口部は、複数の弾性部材を部分的に重ね合わせることにより、実質的に連続したギャザーを形成していることを特徴とする請求項１又は２記載の使いすておむつ。」　
を、
「【請求項１】液透過性のトップシートと、液不透過性のバックシートと、これら両シート間に配置される吸収体とを有する本体を備え、該本体は着用時に着用者の腹側に位置する腹側部と、背側に位置する背側部とに区分されており、前記腹側部と背側部との夫々の両側緑部を接合固定してウエスト開口部と一対のレッグ開口部を形成したパンツ型の使い捨ておむつにおいて、上記ウエスト開口部及び一対のレッグ開ロ部には、夫々その周縁部全周に亘って実質的に連続したギャザーを形成する弾性部材が設けられており、上記本体には、更に、胴回りの両側部に、上記腹側部及び上記背側部に亘り実質的に連続したギャザーを形成する
複数の
【請求項２】　上記ギャザーは、複数の弾性部材が間隔をもって並置することにより形成されていることを特徴とする請求項１記載の使い捨ておむつ。
【請求項３】　上記レッグ開口部は、複数の弾性部材を部分的に重ね合わせることにより、実質的に連続したギャザーを形成していることを特徴とする請求項１又は２記載の使いすておむつ。」
と、訂正する。　
＜訂正Ｂ＞　本件明細書の
「【０００６】【発明が解決しようとする課題】しかしながら、従来のパンツ型使い捨ておむつ５１は、その装着した状態を第７図に示すように、弾性部材６１、５８ａ、５８ｂ及び弾性を有するサイドパネル６２、６３によって形成されたレッグ開ロ部とウエスト開口部における伸縮応力線（伸縮応力曲線は中抜きの矢印で示す）の関係から以下のような問題がある。」
を、
「【０００６】【発明が解決しようとする課題】しかしながら、従来のパンツ型使い捨ておむつ５１は、その装着した状態を
第５図
と訂正する。
　
＜訂正Ｃ＞　本件明細書の　
「【００１０】【課題を解決するための手段】本発明は、液透過性のトップシートと、液不透過性のバックシートと、これら両シート間に配置される吸収体とを有する本体を備え、該本体は着用時に着用者の腹側に位置する腹側部と、背側に位置する背側部とに区分されており、前記腹側部と背側部との夫々の両側緑部を接合固定してウエスト開□部と一対のレッグ開口部を形成したパンツ型の使い捨ておむつにおいて、上記ウエスト開ロ部及び一対のレッグ開口部には、夫々その周縁部全周に亘って実質的に連続したギャザーを形成する弾性部材が設けられており、上記本体には、更に、胴回りの両側部に、上記腹側部及び上記背側部に亘り実質的に連続したギャザーを形成する弾性部材が備えられていることを特徴とする使い捨ておむつを提供することにより、上記目的を達成したものである。」　
を、　
「【００１０】【課題を解決するための手段】本発明は、液透過性のトップシートと、液不透過性のバックシートと、これら両シート間に配置される吸収体とを有する本体を備え、該本体は着用時に着用者の腹側に位置する腹側部と、背側に位置する背側部とに区分されており、前記腹側部と背側部との夫々の両側緑部を接合固定してウエスト関口部と一対のレッグ開口部を形成したパンツ型の使い捨ておむつにおいて、上記ウエスト開口部及び一対のレッグ開□部には、夫々その周縁部全周に亘って実質的に連続したギャザーを形成する弾性部材が設けられており、上記本体には、更に、胴回りの両側部に、上記腹側部及び上記背側部に亘り実質的に連続したギャザーを形成する
複数の
と訂正する。
　
＜訂正Ｄ＞　本件明細書の
「【００２９】第３図に示す実施例による使い捨ておむつ１８では、胴回り弾性部材１６ａ、１６ｂは、吸収体４にはかからずに胴回りの両側部にのみ配置されれいる。ウエストフラップの弾性部材８ａ、８ｂ、サイドフラップの弾性部材１１ａ、ｌ１ｂ、及び胴回り弾性部材１６ａ、１６ｂは、ともに天然ゴム、ポリウレタン、発泡ポリウレタン等が好ましく、糸状、帯状のいずれであってもよい。本実施例の使い捨ておむつ１は、上記構成を有しているため、着用中、幼児のいかなる動きに対してもずり落ちることなくフィットし、しかも脇部に隙間が生じないため、排泄物の漏れを確実に防止することができる。」　
を、　
「【００２９】第３図に示す実施例による使い捨ておむつ１８では、胴回り弾性部材１６ａ、１６ｂは、吸収体４にはかからずに胴回りの両側部にのみ配置
されて
と訂正する。
＜2-2＞訂正の目的の適否、新規事項の有無及び拡張・変更の有無　
　上記訂正Ａは、訂正前の請求項１に記載された「ギャザーを形成する弾性部材が備えられている」を「ギャザーを形成する複数の弾性部材が備えられている」と限定して訂正するものであるから、特許請求の範囲の減縮に該当するものであり、上記訂正Ｃは、上記訂正Ａに伴う不明瞭な記載の釈明に該当する。　
　上記訂正Ａの訂正しようとする事項は、訂正前の特許請求の範囲の請求項2に記載されている事項である。
　又、上記訂正Ｂは、「第７図に示すように」を「第５図に示すように」と訂正するもので、平成11年1月5日付け手続補正における図７の削除と図３の変更に伴う不明瞭な記載の釈明に該当するものであり、上記訂正Ｄは「配置されれいる」を「配置されている」と訂正するもので、誤記の訂正に該当するものである。
　そして、上記訂正Ａ乃至Ｄは、これらの訂正により実質上特許請求の範囲を拡張又は変更するものではない。　
　
＜2-3＞むすび　
　以上のとおりであるから、上記訂正は、特許法の一部を改正する法律（平成6年法律第百十六号。以下、「平成六年法」という）附則第6条第1項の規定によりなお従前の例によるとされる、特許法第120条の4第3項において準用する平成6年改正法による改正前の特許法第126条第1項ただし書き、第2項及び第3項の規定に適合するので、当該訂正を認める。　
　
　
＜3＞特許異議の申立てについての判断　
＜3-1＞本件発明　　
　上記「＜2＞訂正の適否についての判断」において検討したように、上記訂正Ａ乃至訂正Ｄが認められるから、本件請求項1乃至3に係る発明は、訂正明細書の特許請求の範囲の請求項1乃至3に記載されるとおりのものである（以下、「訂正後の請求項1乃至3に係る発明」という）。　
＜3-2＞申立ての理由の概要　
　異議申立人　土山健二は、証拠として、　
　　　甲第1号証：特開昭62-243806号公報
　　　甲第2号証：米国特許第2733715号明細書　
　　　甲第3号証：実公昭39-19633号公報　
　　　甲第4号証：実願昭55-107567号（実開昭57-34509号）のマイクロフィルム　
　　　甲第5号証：特開平2-4364号公報　
を提出し、本件発明は、下記の理由により特許を受けることができない、と主張する。　
＜理由＞
　異議申立人は、特に請求項1に係る発明の解釈について次の場合を挙げ、それぞれに理由を述べている。　
（イ）側部が別部材で構成されているものを含むと解釈した場合（異議申立書　第11頁第2行〜第12頁第14行）
（ロ）側部が別部材で構成されていないものと解釈した場合
（ロー1）構成Ｄを「少なくとも胴周りの両側部に・・・備えられている」と解釈した場合（同第12頁第17行〜第14頁第27行）
（ロー2）構成Ｄを「胴周りの両側部に
のみ
　しかしながら、訂正後の請求項1に係る発明を記載されている事項に沿って素直に読めば、特許明細書の図3に示されているように上記（ロー2）を意味していると解することができる。それは、本件特許出願の分割の経緯、すなわち、分割後の原出願の請求項1に係る発明が「・・・胴周り全周に亘って実質的に連続したギャザーを形成する・・・」となったことからも明らかである。　
　よって、以下は、上記（ロー2）の場合および該訂正後の請求項1に係る発明を引用する請求項2〜3記載の発明について検討する。　
　これらについて異議申立人の主張する理由は、請求項1〜3に係る発明は、甲第1〜5号証記載の発明に基づいて当業者が容易に発明をすることができたものであるから、特許法第29条第2項の規定により特許を受けることができないから、本件請求項1〜3に係る特許は、取り消されるべきものである、というものである。　
　
＜3-3＞甲各号証の記載事項　
　甲第1〜5号証には、図面と共に、次のとおりの記載がある。　
＜甲第1号証＞特開昭62-243806号公報　
ａ：　
「（1）着用者の肌に接する透水性トップシート、該トップシートと反対側に位置する不透水性バックシートおよび該両シートの間に介在する吸収性コアからなるパンツ本体と、ウエストバンドおよび一対のレッグホールにそれぞれ伸縮ギャザーを作る伸縮部材とを含む使い捨て吸収性パンツにおいて、前記パンツ本体は、前記パンツ本体を縦方向に二分する横方向中心線を介して前記トップシートが互いに接する状態で縦方向に折り返され、その状態で前身頃および後身頃の横方向対向側縁において連続線に加圧溶着され、前記伸縮部材のうち少なくとも前記レッグホールのそれは前記コアの外側縁から外側へ１０〜１３０ｍｍ延びている、ことを特徴とする前記パンツ。」
（特許請求の範囲　第1項）
ｂ：　
「（産業上の利用分野）　
　本発明は、乳幼児用のおむつ・いわゆるトレーニングパンツ、失禁者用おむつ等として供するための、予め完全なパンツ型に形成された使い捨て吸収性パンツに関する。」
（第１頁右欄第１３〜１７行）
ｃ：　
「パンツ本体１は、透水性トップシート２と、同大の不透水性バックシート３と、該両シートよりも小さい吸収性コア４とからなる。また、パンツ本体は、ウエストバンドにギャザーを作る伸縮部材５ａ，５ｂと、レッグホールにギャザーを作る伸縮部材６ａ，６ｂとを有する。」（第２頁左下欄第２０行〜右下欄第６行）　
ｄ：　
「前身頃７と後身頃８の対向側縁には、それらの中央部を絞ってフィット性をよくするため、Ｖ状の凹欠部１３が設けられている。」（第３頁左上欄第１７〜１９行）
ｅ：　
「第４図、第５図においては、パンツ本体１の他の実施例を示してある。このパンツ本体１は、前記実施例のそれと実質的に同じであるが、伸縮部材６ａ，６ｂとして複数本の糸状ゴムが使用され、さらに凹欠部１２の縦方向内側には、互いに平行に縦方向へ延び伸縮部材６ａ，６ｂと接統する比較的広幅たとえば１０〜４５ｍｍのウレタンフォームまたは熱処理によって伸縮性を発現するプラスチックフィルムからなる伸縮部材６ｃが接着されている。」（第３頁右上欄第１０〜１８行）
ｆ：　
「第１図、第３図、第５図に示すように、パンツ本体１は、横方向中心線×（第２図、第４図参照）を介してトップシート２が内側になるように縦方向に折り返され、前身頃７および後身頃８に対向側縁に沿い、しかも外側縁を適宜幅Ｗ、好ましくは１０ｍｍ以下残して加圧下に連続線に溶着されることによって接合されている。」（第３頁右上欄第１９行〜左下欄第５行）
＜甲第2号証＞米国特許第2733715号明細書（1956年2月7日特許）　
ｇ：
「本発明は、幼児衣類に関し、特に複合おむつおよび幼児用トレーニングパンツとして供するガーメントに関するものである。」（第１頁第１５〜１７行（異議申立人提出の訳文による））
ｈ：
「複合ガーメントＡを異なるサイズの幼児にも適用可能にするため、図に示すように、パンツ覆材の内側の腰回り部２３に縦方向に離間した３本の周回弾性バンド２４，２４’，２４”を設けてある。弾性バンド２４，２４’，２４”は、腰部２３を幼児の腰周辺に快適に引き寄せるために所定の最小周回長にしてある。
これら３本のバンドの最上部のもの２４は、図５に最もよく示すように、折り返し縁縫い２６に被覆されている。その下部の２本のバンド２４’，２４”は、パンツ覆材の内側に露出しているが、図１に示すように、ガーメントＡの着用状態ではおむつパッド１０で覆われている。下部の各弾性バンド２４’，２４”は、その部位に縫い込まれるとき、伸長されている。そのため、縫い込み後に解放されると、パンツ覆材はギャザーまたはひだが生じ、バンドの伸長と同時にその覆材が自由に伸長する。」（第１頁第２欄第２８〜４６行（異議申立人提出の訳文による））
＜甲第3号証＞実公昭39-19633号公報　
ｉ：　
「本考案の実施例を図面に基いて述べれば、符号１は普通のパンツで、腹部と両腿に当る部分にはそれぞれ伸縮用のゴムひもイ、口が取付けられ、同パンツ１の前面および背面にはオムツ入れ２が設けられている。同オムツ入れ２は普通乳幼児に当てるオムツを四つ折りにした位の大きさがあってこれを第１図および第２図に示すごとく、パンツ１の前面中央から股下を経て背面中央にまわし、前面部と背面部では両側ａ，ｂの部分をパンツ１に縫いつけると共に、股下部ではパンツ１の股下部との間に人差し指先と親指先がはいる位の隙間ｃを作る。」（第１頁左欄第３７行〜右欄第５行）
ｊ：
「オムツ入れ２の上方部とパンツ１の中央部には、横にゴム紐ハ、ニを取付け、その収縮力によって使用中パンツ１および中に入れたオムツｅが動かないように止めておく。さらに、前面部のオムツ入れ２とパンツ１には、中のオムツｅがずれ出ないために、スナップｆ，ｇが取付けてある。」（第１頁右欄第１２〜１８行）
ｋ：　
「パンツの中央およびオムツ入れの上方に設けられたゴム紐で、オムツ入れに入れたオムツを動かないようにするから、使用中オムツともどもパンツがずれ動くことがない。」（１頁右欄３９〜４０行）
　
＜甲第４号証＞実願昭５５−１０７５６７号（実開昭５７−３４５０９号）のマイクロフィルム
ｌ：　
「１はおむつカバー本体で、復元力の強い伸縮性の強い合成樹脂繊維を伸縮自在になるように加工した編糸により編上げた所望寸法の表裏２枚の四方形の編地２，３を重ね合わせて両者を左右両側端縁において縫合糸４で縫着し、できた筒状体の上端開口縁に復元力のさらに強い伸縮性の強い合成樹脂繊維を伸縮自在になるように加工した編糸によりバンド部５を形成し、また下端開口に中央部をつまみ合せて結束糸６により結束して股部７を形成し、且該股部の左右両側に大腿部挿入用の開口８ａ，８ｂを形成し、次で表裏編地２，３に表編地２には略中央部から上端縁にかけて復元力のさらに強い合成樹脂を伸縮自在になるように加工した編糸により所望の間隔を設けて数条の編込み９をまた下端部に股部７より内側に、３条の編込み１０を形成し、裏編地３には上部約３分の１の個所から前記復元力の強い編糸により所望の間隔に複数条の編込み１１を形成して成るものである。」（第２頁第５行〜第３頁第４行）
ｍ：
「本考案は上記のように構成されているので、これを例えば紙おむつを装着したうえから装着すると伸縮自在なる編糸で編組されているので伸縮の度合が極めて大きく、そのうえ表裏編地にはさらに伸縮度の強い編糸を所要個所すなわち、表編地２には略中央部から上端縁および下端縁に所望間隔に打込みまた裏地３には上部約３分の１の個所から下に表編地に打込んだ編糸と同じ編糸を打込んで成るものであるから、幼児の腹部及び臀部によくフィットしておむつをよく保持し、幼児の自由な活動を妨げることがないし、過激な運動に対しても脱落の心配がなく使用し得る効果がある。」（第３頁第１３行〜第４頁第５行）
＜甲第５号証＞特開平２−４３６４号公報　
ｎ：
「２．特許請求の範囲
（１）人体分泌物を吸収するための使い捨てパンツ様の衣料において、以下のものを含んでいることを特徴とする衣料：
ー　液体不浸透性の外側カバー、液体浸透性のライナー及びその間の吸収性媒体を含む吸収性アセンブリ（なおかかる吸収性アセンブリにはさらに一般に相対するサイド縁部と一般に相対するエンド縁部が含まれている）；
ー　前記吸収性アセンブリと共に１つのウエスト開口部と１対の脚部開口部を形成するよう前記サイド縁部の各々に結合されている１対の伸縮性サイドパネル；及び
−　前記脚部開口部のそれぞれの少くとも１部分をギャザリングするためこの部分に沿って結合されているギャザリング手段；
（なお、こうして前記伸縮性サイドパネルは、前記衣料を着用者の体に対してピッタリと保持し排泄の前後両方で前記吸収性アセンブリを股部に対しピッタリと所定の位置に保つため一般に内側に向けられた力のベクトルを着用者に対し与えることになり、このギャザリング手段は、前記脚部開口部のまわりに弾性を与えてそこからのもれを防ぐ）。
・・・・・
（１８）前記、ギャザリング手段の縁部が前記吸収性媒体のそれぞれのサイドに対して直接突き合わさっていることを特徴とする、請求項１１に記載の衣料。
（１９）前記、ギャザリング手段の縁部は前記吸収性媒体のそれぞれのサイドから約０インチから約２インチだけ離して置かれていることを特徴とする、請求項１７に記載の衣料。
・・・・・
（６０）前記、各サイドパネルはストレッチボンディングされた積層材であることを特徴とする、請求項４８に記載の衣料。」
ｏ：
「（産業上の利用分野）
　本発明は、吸収性衣料、さらに限定的にいうと、子供のトレーニングパンツ、大人の失禁用衣料、赤ん坊のオムツなどとして用いる吸収性衣料に関するものである。」（第6頁左上欄第2〜6行）
ｐ：　
「（実施例）第1図及び第3図を参照すると、吸収性衣料用として1つの実施態様が示されている。衣料2は一般に、排泄物封じ込めセクション4と2つのサイドパネル6、8が含まれこれらウエスト開口部10と1対の脚部開口部12，14を構成している。・・・サイドパネル6は、非伸縮性材料で作られている中間材22と連結する伸縮性サイド部材8（18の誤記）及び伸縮性サイド部材20を含んでいる。同様に、サイドパネル8は、非伸縮性材料でできた中間材28と連結する伸縮性サイド部材24と伸縮性サイド部材26を含んでいる。・・・・・。
　以下「弾性」「伸縮率」及び「伸び」という語は、さまざまな材料の特性を描写するため互換性もって使用されている。これらの語の意味は同じと考えられる。すなわち、これらは、その材料が伸張されうるものであり、弛緩した時点でその当初の形状を回復する傾向をもつこと意味する。」（第7頁左上欄第11行〜左下欄第1行）
ｑ：　
「脚部弾性帯４６にはサイドパネル６、８の間にウエスト封じ込めセクション４が備わっている。」（第7頁左下欄第5〜6行）
ｒ：　
「伸縮性サイド部材18、20，24，26は又全ての方向に弾性をもち、通気性があるすなわち蒸気浸透性がある液体に対しては不浸透性であるようなストレッチボンデイングされた積層材であってもよい。第9図及び第10図は、それぞれ伸張された状態及び弛緩された状態のストレッチボンデイングされた積層材80を示している。ストレッチボンデイングされた積層材80には一般に外側層82、内側の体側層84そして層82と84の間に配置された弾性層86が含まれている。・・・・・・・・　
　標準的には、ストレッチボンデイングされた積層材は、弾性又は伸縮性層を選ばれた伸びにまで伸張させ、伸張された弾性層上に伸張されていない層を置き、これらの層を合わせてポンディングし、弾性層がその他の層をギャザリングするように層を弛緩させることによって作られる。」（第8頁左下欄第8行〜第9頁右上欄第9行）　
ｓ：
「内側サイド９８、１００が吸収性サイド１０２、１０４に対し突き合わさった状態にある場合、その効果は、漏れに対する付加的な密封性を提供すること、そしてサイドパネルから吸収材へのより均等な遷移が可能となることにある。」（第10頁左下欄第1〜5行）
ｔ：　
「一般にウェスト弾性帯４２、４４は伸張した状態で接着され、この伸張した状態で各ウエスト弾性帯４２、４４は約２　１／４インチから１５インチまでの伸張された長さと約１／８インチから約１　７／８インチまでの伸張された幅を有する。これらのバラメークは、排泄物封じ込めセクション４の幅の約５０％から１００％の弛緩とりつけ長を与えるはずである。」（第11頁右下欄第9〜16行）　
ｕ：　
「もう1つの実施態様が第２図、４図、７図及び８図に示されている。ここにおいて、脚部弾性体46はサイドパネル6，8により置きかえられ、中間部材22，28及びウエスト弾性体42，44は無い。・・・・・。
　本発明は又、第２図、４図、７図及び８図の実施態様におけるサイドパネル６、８と合わせての脚部弾性帯４６の使用をも考慮している。脚部弾性帯４６はそれぞれのパネル６、８と突合わさってもよいし、これと重なり合ってもよいし、又これから離隔されていてもよい。」（第14頁左上欄第4〜9行）
ｖ：　
「こので第２１図を参照すると、さらにウエスト弾性帯１３４を含む吸収性衣料２のもう１つの変形実施態様が示されている。」（第14頁右下欄第19行〜第15頁左上欄第1行）
　
＜3-4＞訂正後の請求項1に係る発明について　
　甲第1号証記載の発明を訂正後の請求項1に係る発明と対比すると、甲第1号証記載の発明の「使い捨て吸収性パンツ」は訂正後の請求項1に係る発明の「使い捨ておむつ」に相当し、甲第1号証記載の発明の「透水性トップシート」「非透水性バックシート」「パンツ本体」「レッグホール」「伸縮部材」は、訂正後の請求項1に係る発明の「液透過性のトップシート」「液不透過性のバックシート」「本体」「レッグ開口部」「弾性部材」に相当するから、両者は、
「液透過性のトップシートと、液不透過性のバックシートと、これら両シート間に配置される吸収体とを有する本体を備え、該本体は着用時に着用者の腹側に位置する腹側部と、背側に位置する背側部とに区分されており、前記腹側部と背側部との夫々の両側緑部を接合固定してウエスト開口部と一対のレッグ開口部を形成したパンツ型の使い捨ておむつにおいて、上記ウエスト開口部及び一対のレッグ開ロ部には、夫々その周縁部全周に亘って実質的に連続したギャザーを形成する弾性部材が設けられている使い捨ておむつ」
で一致するが、
訂正後の請求項1に係る発明が、
「上記本体には、更に、胴回りの両側部に、上記腹側部及び上記背側部に亘り実質的に連続したギャザーを形成する
複数の
　
　上記相違点について、以下に検討すると、甲第5号証記載の発明の「サイドパネル」は、中間層全体が弾性層、すなわち全体が面状に弾性部材であるから、上記相違点の「上記本体には、更に（すなわち、ウエスト開口部全周に亘って設けられた弾性部材に加えて）、胴回りの両側部に」備えられた「複数の弾性部材」とはいうことができない。　
　さらに、甲第3〜4号証には「胴回りに、腹側部及び背側部に亘り実質的に連続したギャザーを形成する複数の弾性部材が備えられている」点が記載され、甲第2号証には同じく弾性部材が「複数」でないが同様のものが記載されているが、いずれも弾性部材は全周に設けられているから、上記相違点のように胴回りの「両側部に」備えられたものではなく、また、いずれもおむつカバーで「液透過性のトップシート」と「吸収体」を有しないから、上記弾性部材も、おむつ自体から排泄物の漏れを防ぐことを目的としたものではない。
　また、甲第1号証において、「前身頃7と後身頃8の対向側縁には、それらの中央部を絞ってフィット性をよくするため、Ｖ字状の凹欠部が設けられている」（記載ｄ）との記載はあるが、上記「フィット性」が排泄物の漏れを防ぐとの記載は何ら認められない。
　そうすると、甲第1号証記載の発明の使い捨てパンツの「Ｖ状の凹欠部13」に代えて甲第2〜5号証記載の発明から上記相違点のものを構成する、ということはできないから、訂正後の請求項1に係る発明を当業者が容易に想到することができるとはいうことができない。　
　　
　そして、上記相違点の構成により、訂正後の請求項1に係る発明の使い捨ておむつは「着用中幼児のいかなる動きに対してもずり落ちることなくフィットし、しかも脇部に隙間が生じないため、排泄物の漏れを確実に防止することができる」（【0029】）という顕著な効果を奏することができる。すなわち、「液不透過性のおむつ本体の胴周りの両側部に備えた複数の弾性部材によるギャザーが面状にかつ伸縮自在に腰回りを覆うから、前記腰回りのサイドフラップ部はギャザーにより空間の形成が無く、とくに、複数の弾性部材により腹側部及び背側部に亘り実質的に連続して形成されたギャザー自体（つまり縦方向のひだ）が横方向における排泄物の流れを確実に防止するから、訂正後の請求項1に係る発明においては、その効果も加わり、特に排泄物の横流れ防止効果が向上している。更に、吸収体も腰回りの弾性部材により身体に密着されるため、吸収速度に追いつかない尿を押さえ込んで流れ難くすることができる」（「特許異議意見書」第6頁第26行〜第7頁第5行）、という顕著な効果を奏するということができる。　
　
　これに対して異議申立人は、甲第5号証には、「ギャザリング手段の縁部が前記吸収性媒体のそれぞれのサイドに対して直接突き合わさっている」（特許請求の範囲（18））；「ギャザリング手段の縁部は前記吸収性媒体のそれぞれのサイドから約0インチから約2インチだけ離して置かれている」（特許請求の範囲（19））、すなわち、訂正後の請求項1に係る発明の言葉に置き換えれば、「胴周り弾性部材が吸収体にはかからずに胴周りの両側部にのみ配置されている」構成までも開示されている旨、主張する。　
　しかしながら、上記甲第5号証記載の発明の請求項18、19にいう「ギャザリング手段」は、請求項1にいう脚部開口部に設けた「ギャザリング手段」であるから、訂正後の請求項1にかかる発明の「胴周り弾性部材」や「胴周りの両側部にのみ配置されている」複数の弾性部材とは直接関係のない部材であり、異議申立人の上記主張は、採用できない。
　
　そうしてみると、本件請求項1に係る発明は、甲第1〜5号証に記載された発明に基づいて当業者が容易に発明することができたとはいうことができない。　
　
　
＜3-5＞請求項2および3に係る発明について　
　本件請求項2および3に係る発明は、請求項1を引用しているから、上記＜3-4＞において検討したと同様に、甲第1〜5号証記載の発明に基づいて当業者が容易に発明をすることができたとはいうことができず、特許法第29条第2項の規定により特許を受けることができないものとすることはできない。　
　　　　　　　　　　　　　　　　　　　　　　　　　　　　　　　　　　　
＜4＞むすび　
　以上のとおりであるから、特許異議申立ての理由及び証拠によっては、本件請求項1乃至3に係る特許が、拒絶の査定をしなければならない特許出願に対してされたものと認めることができない。　
　また、他に本件請求項1乃至3に係る特許を取り消すべき理由を発見しない。　
　よって、結論のとおり決定する。　
【異議決定日】
平成１４年１１月２９日（２００２．１１．２９）
【訂正の要旨】
訂正の要旨
Ａ．　特許請求の範囲請求項１〜３のの
「【請求項１】　液透過性のトップシートと、液不透過性のバックシートと、これら両シート間に配置される吸収体とを有する本体を備え、該本体は着用時に着用者の腹側に位置する腹側部と、背側に位置する背側部とに区分されており、前記腹側部と背側部との夫々の両側縁部を接合固定してウエスト開口部と一対のレッグ開口部を形成したパンツ型の使い捨ておむつにおいて、上記ウエスト開口部及び一対のレッグ開口部には、夫々その周縁部全周に亘って実質的に連続したギャザーを形成する弾性部材が設けられており、上記本体には、更に、胴回りの両側部に、上記腹側部及び上記背側部に亘り実質的に連続したギャザーを形成する弾性部材が備えられていることを特徴とする使い捨ておむつ。
　【請求項２】　上記ギャザーは、複数の弾性部材が間隔をもって並置することにより形成されていることを特徴とする請求項１記載の使い捨ておむつ。
　【請求項３】　上記レッグ開口部は、複数の弾性部材を部分的に重ね合わせることにより、実質的に連続したギャザーを形成していることを特徴とする請求項１又は２記載の使いすておむつ。」
を、特許請求の範囲の減縮を目的として、訂正明細書の特許請求の範囲の記載のとおり、すなわち、次のように訂正する。
「【請求項１】液透過性のトップシートと、液不透過性のバックシートと、これら両シート間に配置される吸収体とを有する本体を備え、該本体は着用時に着用者の腹側に位置する腹側部と、背側に位置する背側部とに区分されており、前記腹側部と背側部との夫々の両側緑部を接合固定してウエスト開口部と一対のレッグ開口部を形成したパンツ型の使い捨ておむつにおいて、上記ウエスト開口部及び一対のレッグ開ロ部には、夫々その周縁部全周に亘って実質的に連続したギャザーを形成する弾性部材が設けられており、上記本体には、更に、胴回りの両側部に、上記腹側部及び上記背側部に亘り実質的に連続したギャザーを形成する
複数の
　【請求項２】　上記ギャザーは、複数の弾性部材が間隔をもって並置することにより形成されていることを特徴とする請求項１記載の使い捨ておむつ。
　【請求項３】　上記レッグ開口部は、複数の弾性部材を部分的に重ね合わせることにより、実質的に連続したギャザーを形成していることを特徴とする請求項１又は２記載の使いすておむつ。」
Ｂ．本件明細書の段落【０００６】に記載された
「【０００６】【発明が解決しようとする課題】しかしながら、従来のパンツ型使い捨ておむつ５１は、その装着した状態を第７図に示すように、弾性部材６１、５８ａ、５８ｂ及び弾性を有するサイドパネル６２、６３によって形成されたレッグ開ロ部とウエスト開口部における伸縮応力線（伸縮応力曲線は中抜きの矢印で示す）の関係から以下のような問題がある。」
を、明瞭でない記載の釈明を目的として、訂正明細書の記載のとおり、すなわち、次のように訂正する。
「【０００６】【発明が解決しようとする課題】しかしながら、従来のパンツ型使い捨ておむつ５１は、その装着した状態を
第５図
Ｃ．本件明細書の段落【００１０】に記載された
「【００１０】【課題を解決するための手段】本発明は、液透過性のトップシートと、液不透過性のバックシートと、これら両シート間に配置される吸収体とを有する本体を備え、該本体は着用時に着用者の腹側に位置する腹側部と、背側に位置する背側部とに区分されており、前記腹側部と背側部との夫々の両側緑部を接合固定してウエスト開□部と一対のレッグ開口部を形成したパンツ型の使い捨ておむつにおいて、上記ウエスト開ロ部及び一対のレッグ開口部には、夫々その周縁部全周に亘って実質的に連続したギャザーを形成する弾性部材が設けられており、上記本体には、更に、胴回りの両側部に、上記腹側部及び上記背側部に亘り実質的に連続したギャザーを形成する弾性部材が備えられていることを特徴とする使い捨ておむつを提供することにより、上記目的を達成したものである。」
を、明瞭でない記載の釈明を目的として、訂正明細書の記載のとおり、すなわち、次のように訂正する。
「【００１０】【課題を解決するための手段】本発明は、液透過性のトップシートと、液不透過性のバックシートと、これら両シート間に配置される吸収体とを有する本体を備え、該本体は着用時に着用者の腹側に位置する腹側部と、背側に位置する背側部とに区分されており、前記腹側部と背側部との夫々の両側緑部を接合固定してウエスト関口部と一対のレッグ開口部を形成したパンツ型の使い捨ておむつにおいて、上記ウエスト開口部及び一対のレッグ開□部には、夫々その周縁部全周に亘って実質的に連続したギャザーを形成する弾性部材が設けられており、上記本体には、更に、胴回りの両側部に、上記腹側部及び上記背側部に亘り実質的に連続したギャザーを形成する
複数の
＜訂正Ｄ＞　本件明細書の段落【００２９】に記載された
「【００２９】第３図に示す実施例による使い捨ておむつ１８では、胴回り弾性部材１６ａ、１６ｂは、吸収体４にはかからずに胴回りの両側部にのみ配置されれいる。ウエストフラップの弾性部材８ａ、８ｂ、サイドフラップの弾性部材１１ａ、１１ｂ、及び胴回り弾性部材１６ａ、１６ｂは、ともに天然ゴム、ポリウレタン、発泡ポリウレタン等が好ましく、糸状、帯状のいずれであってもよい。本実施例の使い捨ておむつ１は、上記構成を有しているため、着用中、幼児のいかなる動きに対してもずり落ちることなくフィットし、しかも脇部に隙間が生じないため、排泄物の漏れを確実に防止することができる。」
を、誤記の訂正を目的として、次のように訂正する。
「【００２９】第３図に示す実施例による使い捨ておむつ１８では、胴回り弾性部材１６ａ、１６ｂは、吸収体４にはかからずに胴回りの両側部にのみ配置
されて
（５４）【発明の名称】
使い捨ておむつ
（５７）【特許請求の範囲】
　【請求項１】　液透過性のトップシートと、液不透過性のバックシートと、これら両シート間に配置される吸収体とを有する本体を備え、該本体は着用時に着用者の腹側に位置する腹側部と、背側に位置する背側部とに区分されており、前記腹側部と背側部との夫々の両側縁部を接合固定してウエスト開口部と一対のレッグ開口部を形成したパンツ型の使い捨ておむつにおいて、上記ウエスト開口部及び一対のレッグ開口部には、夫々その周縁部全周に亘って実質的に連続したギャザーを形成する弾性部材が設けられており、上記本体には、更に、胴回りの両側部に、上記腹側部及び上記背側部に亘り実質的に連続したギャザーを形成する
複数の
　【請求項２】　上記ギャザーは、複数の弾性部材が間隔をもって並置することにより形成されていることを特徴とする請求項１記載の使い捨ておむつ。
　【請求項３】　上記レッグ開口部は、複数の弾性部材を部分的に重ね合わせることにより、実質的に連続したギャザーを形成していることを特徴とする請求項１又は２記載の使いすておむつ。
【発明の詳細な説明】
　【０００１】
　【産業上の利用分野】本発明は、幼児用、大人用あるいは失禁者用の使い捨ておむつに関し、特に、いわゆるパンツ型の使い捨ておむつに関する。
　【０００２】
　【従来の技術】一般に、使い捨ておむつは、液透過性のトップシートと、液不透過性のバックシートと、これら両シート間に介在された吸収体とからなる縦長の本体を備え、該本体は、着用時に着用者の腹側に位置する腹側部と背側に位置する背側部とに分けられている。かかる使い捨ておむつとしては、例えば、背側部の両側縁（サイドフラップ）に止着具を配設し、着用時には、該止着具を本体の腹側部に止着するフラット型のものが知られている（特公昭５２−４０２６７号）。
　【０００３】また、最近では、本体の長手方向に沿う両側に形成された左右一対のサイドフラップにおいて腹側部と背側部を互いに接合固定して左右一対のレッグ開口部及び一つのウエスト開口部を形成したいわゆるパンツ型の使い捨ておむつが提案されている（特開昭６１−２０７６０５号公報）。該パンツ型の使い捨ておむつは、一対のレッグ開口部及び一つのウエスト開口部を夫々伸縮自在に形成して体型にフィットするように構成されており、通常、着用者自らが立位の状態で着用することができるので、幼児の「おむつ離れ」を促進するためのトイレットトレーニング用として、または失禁者用もしくは歩行可能な成人用として用いられている。
　【０００４】この種のパンツ型の使い捨ておむつは、いわゆるフラット型のおむつに比較して、通常の下着と同様に着用者が自分で上げ下げできるという点に特徴を有する。着用者自身が排泄物を漏らさないように、しかも容易に装着できるようにするためには、パンツ型の使い捨ておむつは優れたフィット性を有していることが要求される。さらに、着用者の活発な活動に対しても十分な追従性を有することが要求される。
　【０００５】このような要求に対応するため、特開平２−４３６４号公報には、本体の腹側部と背側部とを接続するサイド部分に伸縮性のサイドパネル（サイド部材）を設け、且つ本体の腹側端部と背側端部とに弾性部材を配置した構成が開示されている。即ち、第４図に示すように、従来のパンツ型の使い捨ておむつ５１の本体５５において、股下部の両側縁には吸収体５４の外方にサイドフラップ５９ａ、５９ｂが延出され、本体５５の両端部には、吸収体５４の外方にウエストフラップ５７ａ、５７ｂが延出し、股下部のサイドフラップ５９ａ、５９ｂの夫々に弾性部材６１、６１が伸縮可能な状態で配置されている。また、上記ウエストフラップ５７ａ、５７ｂには着用者のウエスト廻りのフィット性を向上するために、弾性部材５８ａ、５８ｂが伸縮可能な状態で配置されている。本体５５の背側部にはその両側にサイドパネル６２、６２が腹側部にはその両側にサイドパネル６３、６３が設けられている。各サイドパネル６２、６３はそれぞれ弾性部材を用いて本体５５とは別部材で形成されており、サイドパネル６２、６３はその端部６４、６４が互いに接合されるようになっている。
　【０００６】
　【発明が解決しようとする課題】しかしながら、従来のパンツ型使い捨ておむつ５１は、その装着した状態を第
５
　【０００７】尚、用語「伸縮応力線」とは弾性部材によってギャザリングされた伸縮可能な部分であることを示す。即ち、それぞれの開口部の伸縮応力線は延長していくと交差するが、伸縮応力線と伸縮応力線との間にこれが存在しない隙間部分Ｘが生じてしまうことがある。例えば、着用者の腹部において、着用者が屈んだ姿勢になったときにおむつと着用者との間に隙間Ｘが生じ、漏れの原因になるという問題がある。
　【０００８】また、サイドパネル６２、６３は、本体とは別部材で構成されているので、おむつの部品点数及び製造工程が複雑となりコスト高になるという問題がある。さらに、サイドパネル６２、６３は一枚の部材であり、各部分の伸縮物性は同一である。従って、ずり落ち防止、フィット性向上のため、締め付け力を大きくするには、サイドパネル６２、６３全体の伸縮部性を上げる必要があるが、これでは着用者に無用の圧迫感を与え、あるいは装脱着の操作性を損なう結果となる。
　【０００９】従って、本発明の目的は、漏れを確実に防止でき、且つコストの低減を図ることができるパンツ型使い捨ておむつを提供することにある。
　【００１０】
　【課題を解決するための手段】本発明は、液透過性のトップシートと、液不透過性のバックシートと、これら両シート間に配置される吸収体とを有する本体を備え、該本体は着用時に着用者の腹側に位置する腹側部と、背側に位置する背側部とに区分されており、前記腹側部と背側部との夫々の両側縁部を接合固定してウエスト開口部と一対のレッグ開口部を形成したパンツ型の使い捨ておむつにおいて、上記ウエスト開口部及び一対のレッグ開口部には、夫々その周縁部全周に亘って実質的に連続したギャザーを形成する弾性部材が設けられており、上記本体には、更に、胴回りの両側部に、上記腹側部及び上記背側部に亘り実質的に連続したギャザーを形成する
複数の
　【００１１】本発明の使い捨ておむつの着用時には、本体に一体的に形成された連続したギャザーが、ウエスト開口部及び一対のレッグ開口部に連続的に作用し、おむつと着用者との間に隙間が形成されることなく、おむつからの排泄物の漏れを確実に防止する。本明細書における「連続」とは、伸縮応力線が途切れることなく続いて存在していることを意味するものである。例えば、本発明の側部においては接合部分を介して実質的に連続であればよく、弾性部材として必ずしも連続である必要はない。
　【００１２】また、連続したギャザーはおむつ本体に一体に形成する構成であるから、別部材で構成されている従来品（前述の特開平２−４３６４号公報参照）に比較して部品点数を削減し、また、製造工程が簡易となり製造コストが低減できる。更に、本発明のギャザーは、複数の弾性部材を並置するかあるいは重ね合わせて配置することにより、フィット性、操作性の向上を図ることができる。
　【００１３】
　【実施例】以下に、添付図面の第１図乃至第３図を参照し乍ら、本発明の一実施例を詳細に説明する。
　【００１４】先ず、第１図及び第２図に示す使い捨ておむつ１について説明すると、この使い捨ておむつ１は、本発明の使い捨ておむつの基本となる構成を具備するもので、着用者の肌に接する側の液透過性のトップシート２と、トップシート２に対応する液不透過性のバックシート３と、これら両シート２、３間に介在された状態で固定されて排泄物を吸収する吸収体４とからなる本体５を備えている。
　【００１５】本体５には、着用時に着用者の腹側に位置する腹側部５ａと、背側に位置する背側部５ｂとに区分されるが、腹側部５ａと背側部５ｂとは本体５の略中央に位置する縦中心線６ａを境に略対称に形成されている。本体５の腹側部５ａと背側部５ｂとにおいて、吸収体４の長手方向の両端縁には、ここから外方へ延出する一対のウエストフラップ７ａ、７ｂと、各ウエストフラップ７ａ、７ｂそれぞれにギャザーを形成する弾性部材８ａ、８ｂと、上記吸収体４の両側縁から幅方向外方へ延出する左右一対のサイドフラップ９ａ、９ｂと、各サイドフラップ９ａ、９ｂのレッグ部１０ａ、１０ｂのそれぞれにギャザーを形成する弾性部材１１ａ、１１ｂとを備え、背側と腹側のサイドフラップ５ｂ、５ａが両側縁１２ｂ、１２ａでそれぞれ部分的に接合固定されて、ウエスト開口部１３及び左右一対のレッグ開口部１４ａ、１４ｂ（第２図参照）が形成されるようになっている。
　【００１６】尚、ウエストフラップ７ａ、７ｂとサイドフラップ９ａ、９ｂとは夫々トップシート２とバックシート３との重ね合わせ部分であって、本体５に一体に形成されている。ウエストフラップの弾性部材８ａ、８ｂは、夫々ウエストフラップ７ａ、７ｂの端縁に沿って、略平行に配置された複数本の糸状体としてトップシート２とバックシート３とに連続的に接合されている。これによりウエスト開口部１３を形成した際には、ウエストフラップの弾性部材８ａ、８ｂはウエスト開口部１３の周縁に沿って連続して配置されることになる。
　【００１７】一方、サイドフラップの弾性部材１１ａ、１１ｂは円弧状の弾性部材１１ａと直線状の弾性部材１１ｂとから構成されており、円弧状の弾性部材１１ａは、サイドフラップ９ａ、９ｂにおいて、レッグ部１０ａ、１０ｂの馬蹄形に沿って円弧状に形成されている。更に、サイドフラップにおける馬蹄形の凹部には、直線状の弾性部材１１ｂがサイドフラップ９ａ、９ｂから直線状に延出され、円弧状の弾性部材１１ａと交差して設けられている。このサイドフラップの弾性部材１１ａ、１１ｂは上記一対のレッグ部の縁に隣接して、即ち、股下区域のサイドフラップ９ａ、９ｂの側縁に隣接して配置され、該側縁からサイドフラップの弾性部材１１ａ、１１ｂの最外縁までの距離は好ましくは０〜５０ｍｍ、より好ましくは０〜２０ｍｍであり、吸収体の外縁から弾性部材１１ａ、１１ｂの最内縁までの距離は好ましくは０〜５０ｍｍ、より好ましくは０〜２０ｍｍである。
　【００１８】サイドフラップの弾性部材１１ａ、１１ｂは一般に伸長した状態でパンツ型使い捨ておむつ１の本体５に超音波溶着、熱溶着、接着剤などの業界公知の手段を用いて接合される。糸ゴム、平ゴム、フィルムタイプのゴムあるいはテープ状の発泡ポリウレタンなど、業界公知のものであれば、何でも用いることができ、１本あるいは複数本であってもよいが、一般に左右のサイドフラップの弾性部材１１ａ、１１ｂの配置は対称形である。また、１５０％伸長時の応力が７０〜１００グラムであるものが好ましい。また、開口部に間隙を生じないように、弾性部材１１ａ、１１ｂの応力を異なるようにしてもよいし、１１ａ、１１ｂ夫々の弾性部材の外側の応力が高くなるように形成してもよい。
　【００１９】ウエストフラップの弾性部材８ａ、８ｂは、伸縮性を有する不織布タイプのものが好ましく、どちらかと言えば、長手方向よりも幅方向に大きな伸縮性を有しているものが好ましい。ウエストフラップの弾性部材８ａ、８ｂはホットメルトなどの粘着剤、超音波溶着、熱溶着などの業界公知の手段をもってウエストフラップ７ａ、７ｂに接合固定されている。また、このウエストフラップの弾性部材８ａ、８ｂは双方が伸縮可能な状態において結合されている。
　【００２０】ここで、本明細書中、用語「結合」とは前述の「連続」と同じく上記弾性部材と上記弾性部材とが少なくとも伸縮応力線を生じることのできる状態で接しているのであり、好ましくは直接もしくは間接的に双方が重合して接合されていることを意味する。
　【００２１】トップシート２は、排泄物を吸収体４へ透過させる液透過性シートで肌着に近い感触を有したものが好ましく、このような液透過性シートとしては、例えば、織布、不織布、多孔性フィルム等が好ましい。また、トップシート２の周縁部にシリコン系油剤、パラフィンワックス等の疎水性化合物を塗布する方法や、予めアルキルリン酸エステルのような親水性化合物を塗布し、周縁を温水で洗浄する方法により撥水処理を施し、周縁部における尿等の滲みによる漏れを防止することができる。
　【００２２】バックシート３は、ポリオレフィンのような熱可塑性樹脂にフィラーを加えて延伸した、蒸気を透過させる透湿性のある液不透過性シートや、肌着に近い感触を有したもの、例えばフィルムと不織布との複合材あるいはフィルムと織布との複合材等が用いられる。
　【００２３】吸収体４としては、解繊パルプを主材とし高分子吸水ポリマーを併用したものが好ましく、また、熱可塑性樹脂、セルロース繊維、高分子吸水ポリマーの混合物に熱処理したものが好ましい、高分子吸水ポリマーの存在位置は上層、中層、下層のいずれであってもよく、パルプと混合したものであってもよい。該高分子吸水ポリマーは、自重の２０倍以上の液体を吸収して保持し得る保持性能を有し、ゲル化する性質を有する粒子状のものが好ましく、このような高分子吸水ポリマーとしては例えば、デンプン−アクリル酸（塩）グラフト重合体、デンプン−アクリロニトリル共重合体のケン化物、ナトリウムカルボキシメチルセルロースの架橋物、アクリル酸（塩）重合体などが好ましい。
　【００２４】上記のパンツ型の使い捨ておむつ１は、横中心線６ｂに沿っておむつ本体を半分に折り返し、背側部５ｂの両側縁１２ａ、１２ａと腹側部５ａの側縁１２ｂ、１２ｂを接合固定することによって得られる。この際、背側部５ｂにあるサイドフラップの弾性部材１１ｂは腹側部５ａにあるサイドフラップの弾性部材１１ｂに重ね合わされ、背側のウエストフラップ７ｂの弾性部材８ｂは腹側のウエストフラップ７ａの弾性部材８ａに重ね合わされている。
　【００２５】而して、上記のパンツ型の使い捨ておむつ１は、その着用時には、第２図に示すように、一対のレッグ開口部１４ａ、１４ｂに、上記サイドフラップの弾性部材１１ａ、１１ｂによって連続したギャザリングを形成し、ウエスト開口部１３は上記背側及び腹側のウエストフラップの弾性部材８ａ、８ｂにより、連続したギャザリングを形成する。従って、上記のパンツ型の使い捨ておむつ１は、本体に一体的に形成された連続したギャザーがウエスト開口部１３とレッグ開口部１４ａ、１４ｂとに連続的に作用し、着用者へのフィット性を向上させるとともに、おむつからの排泄物の漏れが確実に防止される。
　【００２６】また、ウエストフラップの弾性部材８ａ、８ｂ及びサイドフラップの弾性部材１１ａ、１１ｂは、本体５に接合させるだけの構成であるから、部品点数の削減を図るとともに、製造工程が簡易である。また、弾性部材８ａ、８ｂ及び１１ａ、１１ｂは複数の弾性部材を並置し、または交差させることにより、体形に合致した伸縮応力を発現させることが可能であり、フィット性向上、漏れ防止を図ることができる。尚、サイドフラップの弾性部材は円弧状に配置した弾性部材１１ａと直線状に配置した伸縮部材１１ｂとを交差する構成に限らず、一つの曲線状に配置されることに限らず曲線状に配置されていてもよい。
　【００２７】また、サイドフラップの弾性部材１１ｂは直線状に配置されることに限らず曲線状に配置されていてもよい。
　【００２８】次に、第３図を参照して、本発明の実施例について説明する。
　【００２９】第３図に示す実施例による使い捨ておむつ１８では、胴回り弾性部材１６ａ、１６ｂは、吸収体４にはかからずに胴回りの両側部にのみ配置され
て
　【００３０】
　【試験例】下記使い捨ておむつ（図３に示す実施例にかかる使い捨ておむつ）を用いて下記漏れ試験及びずり落ち試験を行った。
　【００３１】
　【００３２】
　【００３３】＜漏れ試験及びずり落ち試験＞本試験は、上述の使い捨ておむつ１５を体重１０ｋｇのベビーモデルに装着して２０００歩行させ、立位←→座位変化を２０回行った後おむつのズレ落ち量を測定した。次いで、そのままモデルを横寝またはうつ伏せ寝状態に置き、人工尿（生理食塩水）を排尿部からの排出速度が５ｇ／秒になるようにモデルのチューブから供給し、漏れを生じるまでの吸収体４による漏れの防止効果を観た。また、下記人工軟便を排泄部からの排便速度が４ｇ／秒になるようにモデルのチューブから供給し、横寝状態で同様に便漏れの防止効果を観た。
・人工軟便：カルボキシエチルセルロースによって粘度１０ｃ．ｐ．に調整されたベントナイト３ｗｔ％の懸濁液
　【００３４】試験例１
本試験では、胴回りの一部に弾性部材１６ａ、１６ｂを１８０％伸張状態で４本トップシートとバックシートの間に設け、第３図に示す使い捨ておむつ１８を作製し、次いでこの使い捨ておむつ１８を用いて上記試験を行い、その結果を下記表に示した。
　【００３５】比較試験例１本試験では、胴回りの弾性部材１６ａ、１６ｂを用いない比較品を作製し試験例１と同様の試験を行い、その結果を下記表に示した。
＜試験結果＞下記表に示した結果によれば、本試験は、比較品と比較していずれもずり落ち量が少なく、人工尿及び人工軟便の吸収量も多く、防漏性に優れていた。
　【００３６】
　【表１】
　【００３７】本発明は上述した一実施例に限定されることなく、本発明の要旨を逸脱しない範囲で種々変形可能である。
　【００３８】例えば、サイドフラップの弾性部材は円弧状に配置した弾性部材１１ａと直線状に配置した伸縮部材１１ｂとを交差する構成に限らず、一つの曲線状に配置する構成であってもよい。また、サイドフラップの弾性部材１１ｂは直線状に配置されることに限らず曲線状に配置されていてもよい。
　【００３９】
　【発明の効果】本発明の使い捨ておむつは、排泄物の漏れを確実に防止でき、且つコストの低減を図ることができる。
【図面の簡単な説明】
　【図１】図１は本発明の使い捨ておむつの基本となる構成の展開図である。
　【図２】図２は図１に示す使い捨ておむつの着用状態を示す斜視図である。
　【図３】図３は本発明の実施例による使い捨ておむつの着用状態を示す斜視図である。
　【図４】図４は従来の使い捨ておむつの展開図である。
　【図５】図５は従来の使い捨ておむつの着用状態を示す斜視図である。
　【符号の説明】
　１　使い捨ておむつ
　２　トップシート
　３　バックシート
　４　吸収体
　５　本体
　８ａ　弾性部材
　８ｂ　弾性部材
　１１ａ　弾性部材
　１１ｂ　弾性部材
　１３　ウエスト開口部
　１４ａ　レッグ開口部
　１４ｂ　レッグ開口部
　１６ａ　弾性部材
　１６ｂ　弾性部材
　１８　使い捨ておむつ